【事件の表示】
　特願２００４−１３６４３６「印刷処理装置、情報処理装置およびプリンタ装置」拒絶査定不服審判事件〔平成１６年１０月２８日出願公開、特開２００４−３０３２６１〕について、次のとおり審決する。
【結　論】
　本件審判の請求は、成り立たない。
【理　由】
１．手続きの経緯
　本願は、平成１１年１２月６日に出願した特願平１１−３４６５４９号の一部を平成１６年４月３０日に新たに特許出願としたものであって、平成１９年７月６日付けで拒絶査定がなされたところ、これに対して同年８月１６日に拒絶査定に対する審判請求がなされるとともに、同年９月１４日に手続補正書が提出されたものである。
　
２．補正却下の決定
　平成１９年９月１４日に提出された手続補正書による補正の却下の決定
　
（１）［補正却下の決定の結論］
　平成１９年９月１４日に提出された手続補正書による補正（以下、「本件補正」という。）を却下する。
　
（２）［補正却下の決定の理由］
（ａ）補正の内容
　本件補正によると、その特許請求の範囲の請求項１は、
「上位装置とプリンタ装置とが双方向通信線を介して接続され、ユーザから上位装置に与えられる印刷命令に対し、印刷すべき画像データを上位装置で印刷用画像データに変換してからプリンタ装置に送信して印刷させる印刷処理装置において、
　上位装置は、
　　プリンタ装置からのステータス情報を解読するステータス解読手段と、
　　画像データを印刷用画像データに変換する条件を、ステータス情報に基づいて、プリンタ装置の印刷処理能力に適合させるプリンタドライバとを含み、
　プリンタ装置は、
　　印刷処理能力を表すステータス情報を記憶しておくステータス記憶手段と、
　　プリンタ装置に電源が投入されたときにのみ、記憶されているステータス情報を上位装置に送信するステータス送信手段とを含む、
ことを特徴とする印刷処理装置。」
と補正されている。　
　
　上記補正は、補正前の請求項１に記載した発明を特定するために必要な事項である「プリンタ装置に電源が投入されたときに、記憶されているステータス情報を上位装置に送信するステータス送信手段」を「プリンタ装置に電源が投入されたときにのみ、記憶されているステータス情報を上位装置に送信するステータス送信手段」と限定するものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
（１）原査定の拒絶の理由に引用された特開平１０−２２９４９０号公報（以下、「引用例１」という。）には、図とともに、以下のような記載がある。
（イ）「【発明の属する技術分野】本発明は、デジタルカメラやフィルムスキャナなどの画像取込装置とプリンタなどの印刷装置をダイレクトに結合し、パーソナルコンピュータなどの電子機器を介さないで画像データを印刷させる画像取り込み装置、印刷システム、および、印刷方法に関する。」（段落【０００１】）
　
（ロ）「【発明が解決しようとする課題】しかしながら、上記従来技術では、デジタルカメラおよびフィルムスキャナなどの画像取込装置が高精細化するたび、既存の印刷装置で画像データの印刷が可能となるよう、印刷装置の解像度にあわせるための解像度変換プログラムおよび変換処理を行うための大容量メモリを、パーソナルコンピュータなどの電子機器に追加しなければならなかった。
【０００５】もしくは、画像取込装置の高精細化に伴って、高解像度の印刷装置を用意するしかなかった。
【０００６】また、印刷装置は画像取込装置から入力されたＲＧＢデータをＹＭＣＫデータに変換しなければならなかった。
【０００７】本発明は、上記問題点を解決するためになされたもので、
１：印刷装置側から印刷可能な解像度を、画像取込装置へ通知する。
【０００８】２：画像取込装置上で、通知された解像度へ画像データの解像度を変換し、印刷装置へ画像データを転送する。
【０００９】３：解像度変換処理に必要となるメモリは、画像取込装置側が画像データ取込の際に用いるメモリを利用する。
【００１０】４：色変換テーブルを画像取込装置に転送し、画像取込装置側でＲＧＢ→ＹＭＣＫ変換を行ってもらい、印刷装置にＹＭＣＫ形式でデータを転送してもらう。
【００１１】これらの特徴を有することにより、パーソナルコンピュータ等の電子機器を介すことなく、画像取込装置が高精細化しても既存の印刷装置で画像データが印刷できるようすることを目的としている。
【００１２】また、パーソナルコンピュータに接続された状態と同じように画像取込装置からのデータを受信し、印刷できるようにすることを目的とする。」（段落【０００４】〜【００１２】）
　
（ハ）「【００１９】印刷装置の通信制御部（ａ）１１と、画像取込装置の通信制御部（ｂ）２１を備えることにより、パーソナルコンピュータなどの電子機器を介すことなく、印刷装置と画像取込装置をダイレクトに結合して、印刷することが可能となる。
【００２０】これら通信制御部により、印刷装置と画像取込装置の間で、装置間のネゴシエーションコマンド、解像度変換要求コマンド、画像データ、色変換テーブルなど各種データのやり取りが行われる。
【００２１】画像取込装置において、画像データ取込部２２と画像取込メモリ２３と画像データ格納メモリ２４を備えることにより、デジタルカメラやフィルムスキャナのごとく画像データを取込むことが可能となり、取込んだ画像データを蓄えておくことができる。
【００２２】印刷装置に画像データ指定部１２を備えることにより、画像取込装置に蓄えられている画像データを指定し、印刷装置の解像度にあわせて、また、ＹＭＣＫ形式で取り込むことができるよう、通信制御部を通して画像取込装置に通知できる。
【００２３】画像取込装置に画像データ特定部２５を備えることにより、印刷装置の指定部により指定された画像データを画像データ格納メモリから特定することが可能となる。
【００２４】画像取込装置に画像データ変換部２６を備えることにより、特定された画像データを印刷装置から要求された解像度及びＹＭＣＫ形式のデータに変換することができる。
【００２５】なお、このデータ変換部においては、画像データの解像度と印刷装置から要求された解像度を比較し、解像度変換が必要な場合にのみ変換処理を行うような制御も行われる。また、印刷装置より転送された色変換テーブルに基づき、ＲＧＢ→ＹＭＣＫ変換を行う。
【００２６】そして、変換処理が行われた画像データは、通信制御手段を介して印刷装置側へデータ転送される。
【００２７】印刷装置にデータ属性解析部１３と画像データ加工部１４を備えることで、転送されてきた画像データの属性を判別し、データの加工が必要な場合には画像データの加工処理もできることになる。
【００２８】印刷装置に画像データ印刷部１５を備えることにより、転送され加工処理された画像データを印刷することができることになる。」（段落【００１９】〜【００２８】）
　
（ニ）「【００３０】図２は、印刷装置と画像取込装置の構成を示す図である。
【００３１】印刷装置１００は、ＣＰＵ１１０とＲＯＭ１２０とパネル・ボタン１３０と印刷ユニット１４０とＲＡＭ１５０と入出力ポート１６０から構成される。ＣＰＵ１１０では、ＲＯＭ１２０に記述された各種プログラムが実行され、必要に応じて処理の結果がＲＡＭ１５０に格納される。パネル・ボタン１３０は、処理の実行指示および指示内容の表示など操作者とのインターフェースをになう機能が実行される。印刷ユニット１４０は、ＲＯＭ１２０に記述されたプログラムに制御されながらＲＡＭ１５０に格納されたデータを印刷していく。入出力ポート１６０は、外部の画像取込装置との物理的なインターフェースであり、ＲＯＭ１２０に記述された通信制御プログラムに制御されながらコマンドおよび画像データの送受信処理を行う。
【００３２】画像取込装置２００は、ＣＰＵ２１０とＲＯＭ２２０とパネル・ボタン２３０と画像取込ユニット２４０とＲＡＭ２５０と入出力ポート２６０から構成される。ＣＰＵ２１０では、ＲＯＭ２２０に記述された各種プログラムが実行され、必要に応じて処理の結果がＲＡＭ２５０に格納される。ＲＡＭ２５０は、画像取込みメモリおよび画像データ格納メモリを有し、画像データ格納メモリ中の画像データがＲＯＭ２２０に記述された解像度変換プログラムにより変換処理され、ワークバッファとして利用される画像取込メモリ上へ出力される。パネル・ボタン２３０は、処理の実行指示および指示内容・取込画像データの表示など操作者とのインターフェースをになう機能が実行される。画像取込ユニット２４０は、ＲＯＭ２２０に記述されたプログラムに制御されながらＲＡＭ２５０の画像取込メモリに画像データを取込み、画像データ格納メモリにデータを格納していく。入出力ポート２６０は、外部の印刷装置との物理的なインターフェースであり、ＲＯＭ２２０に記述された通信制御プログラムに制御されながらコマンドおよび画像データの送受信処理を行う。
【００３３】印刷装置１００と画像取込装置２００は、たとえばＩＥＥＥ１３９４シリアルバス３００により結合され、ケーブルのコネクタがそれぞれ入出力ポート１６０と入出力ポート２６０に接続される。なお、ＩＥＥＥ１３９４シリアルバスについては後述する。また、この通信ケーブルがＲＳ−２３２ＣやＩｒＤＡなど赤外線の無線ケーブルでも、入出力ポートをそれぞれ無線ケーブル用に対応させるだけで、本発明は同様の機能を実現できる。
【００３４】図３には、本発明を実現するためのプログラムのフローチャートを示す。図３が印刷装置側のＲＯＭ１２０に記憶されるプログラムのフローチャートであり、図４が画像取込装置側のＲＯＭ２２０に記憶されるプログラムのフローチャートである。
【００３５】印刷装置側では、まず電源が投入されるとステップＳ．１１０のイニシャル処理において印刷装置の各種初期化処理が実行される。その後ステップＳ．１２０の要求処理判別処理において、要求処理の入力待ちとなり、処理要求がボタン入力などのアクションにより入力されると、それぞれ要求内容に応じて処理が振り分けられ実行される。要求処理判別処理において、データ通信以外の処理要求が発生した場合には、ステップＳ．１３０へ進む、要求された処理に必要な処理が実行される。データ通信処理要求が発生した場合には、ステップＳ．１４０へ進み、データ通信処理を開始するのに必要な通信ネゴシエーション処理を画像取込装置と行う。通信ネゴシエーション処理においては、印刷装置側から画像取込装置側へデータ通信開始要求や機種情報など各種イニシャル情報が送信され、画像取込装置側からはこれに応じたイニシャル情報が送られてくるので、このイニシャル情報を受信する。画像取込装置側から送られてくるイニシャル情報の中には画像データ格納情報など、印刷するための画像データを選択するために必要な情報も含まれているので、この情報をもとにステップＳ．１４１の画像データ指定処理を行い、画像取込装置側から送ってもらう画像データと印刷装置側で対応できる解像度を画像取込装置側へ送信する。また、色変換テーブルも送信する。この通知により画像取込装置側からは、指定した解像度及び、ＹＭＣＫ形式で指定した画像データが送信されてくるので、この送られてきた画像データをステップＳ．１４２の画像データ受信処理において印刷装置側のメモリへ受信する。次にステップＳ．１４３のデータ属性解析処理において受信した画像データの属性を解析し、必要に応じてステップＳ．１４４の画像データ加工処理において、画像データの加工処理を行う。この加工処理においては、圧縮画像データの伸張処理や色補正処理やデータのマスキングなどといった処理が加えられる。画像データの加工処理が終了すると、ステップＳ．１４５の画像データ印刷処理において、画像データが印刷される。そして印刷処理が終了すると、ステップＳ．１２０へ戻り要求処理の待ち状態となる。
【００３６】一方、画像取込装置側では、電源が投入されるとステップＳ．２１０のイニシャル処理において画像取込装置の各種初期化処理が行われる。次にステップＳ．２２０の要求処理の判別処理へ進み、処理要求の待ち状態となる。ここで、画像取込処理要求が発生した場合には、ステップＳ．２４０へ進み、画像データの取込処理を行い、取込んだ画像データをステップＳ．２４１で画像データ格納メモリに格納する画像データ格納処理が実行される。また、印刷装置からデータ通信開始要求が通知された場合には、要求判別処理においてデータ通信処理要求が発生され、ステップＳ．２５０の通信ネゴシエーション処理が行われる。上記以外の処理要求が発生した場合には、ステップＳ．２３０へ進み、処理要求に応じたその他の必要な処理が実行される。ステップＳ．２５０の通信ネゴシエーション処理においては、印刷装置側から送られてきた印刷装置イニシャル情報に対応して、画像取込装置イニシャル情報を印刷装置側へ送り返す処理が行われる。通信.ネゴシエーション処理が終了すると、印刷装置側から転送を要求する画像データの情報と印刷装置が対応できる解像度が及び色変換テーブルが送信されるので、まずステップＳ．２５１の画像データ特定処理で通知された画像データ情報をもとに、画像データ格納メモリから画像データの特定を行い、ステップＳ．２５２のデータ解像度変換処理で、特定した画像データの解像度を、通知された印刷装置の解像度に変換する処理（間引き処理等）及びＲＧＢ→ＹＭＣＫ変換処理が実行される。なお、このとき通知される画像データの情報としては、画像データのＮＯであるとか画像データ名といった画像データが特定できる情報が通知される。データの解像度変換処理及び色変換処理が終了すると、ステップＳ．２５３の画像データ送信処理が実行され、要求された画像データが印刷装置の解像度にあわせて及び色変換されて印刷装置側へ送信される。
【００３７】以上示した処理の流れにより、印刷装置の解像度にあわせて画像データを印刷装置側へ転送できることになり、既存の印刷装置で画像データが印刷できることになる。なお、本発明の実施の形態においては、印刷指示、画像データの指定は、印刷装置により実現されたが、画像取込装置のほうでも行うことができる。」（段落【００３０】〜【００３７】）
　
　以上の記載によれば、この引用例１には以下のような発明（以下、「引用例１発明」という。）が開示されていると認められる。
　
「画像取込装置と印刷装置とがＩＥＥＥ１３９４シリアルバス等の通信ケーブルで接続され、印刷装置側で電源が投入され、データ処理通信要求が行われた場合には、印刷装置側から画像取込装置側へデータ通信要求や機種情報などのイニシャル情報が送信され、画像取込装置側から印刷装置側へ画像データ格納情報など印刷をするための画像を選択するために必要な情報が送られて通信ネゴシエーション処理が終了し、印刷装置側から画像データの指定処理を行うと、転送を要求する画像データの情報と印刷装置側で対応できる解像度及び色変換テーブルを画像取込装置側へ送信し、画像取込装置では、画像データ特定部２５で印刷装置により指定された画像データを画像データ格納メモリから特定し、データ変換部２６において特定された画像データを解像度変換プログラムにより通知された印刷装置が対応できる解像度に変換処理し、ワークバッファとして利用される画像取込メモリ上へ出力し、また、印刷装置より転送された色変換テーブルに基づき、ＲＧＢ→ＹＭＣＫ変換処理が実行され、印刷装置側へ送信されて印刷装置で画像データが印刷できるようになり、印刷指示、画像データの指定は画像取込装置のほうでも行うことができる印刷処理システム。」　
　
（２）原査定の拒絶の理由に引用された特開昭６２−４０５２２号公報（以下、「引用例２」という。）には、図とともに、以下のような記載がある。
　
（イ）「本発明の実施例によれば、プロセッサ２にプリンタ１を接続したとき又まプリンタ１の電源をオンにしたとき、第２図及び第３図に示すようにプロセッサ２はその指令プログラム記憶手段９からプリンタ特性読出しプログラムを呼出して、実行し該プロセッサのモード設定手段１０をプリンタ特性認識モードに設定するとともに、プリンタ特性読出し指令信号をプリンタ１へのデータ信号線５で１６進数コ一ド信号として送出する。このコード信号はインターフェイス３を介してプリンタ１の解読手段７に送られ、プリンタ特性読出し指令（コマンド）として解読される。そしてプリンタ１がそのモード設定手段８でプリンタ特性伝送モードに設定され、承認（ＡＣＫ）信号を状況信号線４で送り返す。これを受取ったプロセッサ２は、上記プリンタ特性読出しプログラムに従い、スタート指令をプリンタｌに送出し、これに対するＡＣＫ信号を受取るのに応じて、質問１、質問２・・・・、質問Ｎの指令信号を順次送出する。
　質問は一間一答を反復しても良いし、全ての質問後に全ての応答をしても良い。」（第３頁左上欄第１行〜右上欄第１行）
　
（ロ）「プリンタ１は、モード設定手段８がプリンタ特性データ伝送モードになっているので、状況信号線４で状況信号を送出する代りに、プリンタ特性記憶手段６に予じめ記憶しであるそのプリンタの特性データを状況信号線４を用いてプロセッサ２に送出する。尚、プリンタ特性記憶手段６は、プロセッサ側ではなくプリンタ１側にあれば良く、プリンタ１の一部とみなせるものなら、最近市販されているＲＯＭカートリッジ（プリンタに脱着可能な外部メモリ）のようなものでも良い。
　プロセッサ２は状況信号線４で送られて来る信号を、モード設定手段１０でプリンタ特性認識モードに設定され解読規約の切換えられた解読手段１１で解読する。解読手段１１は、プロセッサからの各質問指令コードをアドレスとして解読規約が読出されるようなテーブルを有していても良い。解読結果は、プリンタ特性記憶レジスタ１２に記憶しておく。この記憶内容と内蔵しているプリンタ制御プログラムとを用いてその後、プロセッサ２の演算手段１４がプリンタ１を印刷制御する。」（第３頁右上欄第２行〜左下欄第１行）
　
（ハ）「プリンタに質問する内容としては、プリンタの機種、機能、能力がある。
　機種を質問された場合の応答は、例えばＩＢＭ５５５３プリンタなら、上記４本の状況信号線で、５、５、５、３と４回に分けてデータを送れば良い。
　機能としては、プリンタで使用できる制御コードの種類であったり、両方向印刷機能であったり、印刷可能な色の数であったり、ＪＩＳ規格１又は２の漢字を打てるか、或いは他のフォントの文字を打てるかといった内容である。
　また能力としては１文字枠の縦横の寸法とか、印刷できる紙の大きさ、解像度、ドツト間隔等である。」（第３頁右下欄第１３行〜第４頁左上欄第６行）
　
（ニ）「また従来のように各プロセッサ毎に接続できるプリンタの機種、機能を何台分も全て記憶させていた場合にプロセッサで必要としていたメモリスペースの莫大さに比べると、本発明はプリンタ側に一台分の機種、機能を記憶しておくだけで済み、はるかに経済的である。また新機種のプリンタが開発された場合も、プロセッサ側には既にプリンタ特性読出しプログラムがあるので、新機種のプリンタ側に新機能等を記憶させるだけで、プロセッサは新機種のプリンタに柔軟に対応できる。」（第４頁左下欄第２行〜第１２行）
　
（ｃ）対　比
　本願補正発明と引用例１発明とを対比する。
　引用例１発明の「画像取込装置」、「印刷装置」及び「ＩＥＥＥ１３９４シリアルバス等の通信ケーブル」は、本願補正発明の「上位装置」、「プリンタ装置」及び「双方向通信線」に相当し、引用例１発明の「印刷システム」は、本願補正発明の「印刷処理装置」に相当するといえる。
　引用例１発明の「印刷指示」は、本願補正発明の「印刷命令」に相当し、引用例１発明は、特定された画像データを通知された印刷装置が対応できる解像度に変換処理し、印刷装置より転送された色変換テーブルに基づき、ＲＧＢ→ＹＭＣＫ変換処理が実行され、印刷装置側へ送信されて印刷装置で画像データが印刷でき、印刷指示、画像データの指定は画像取込装置のほうでも行うことができるから、「上位装置とプリンタ装置とが双方向通信線を介して接続され、ユーザから上位装置に与えられる印刷命令に対し、印刷すべき画像データを上位装置で印刷用画像データに変換してからプリンタ装置に送信させて印刷する印刷処理装置」である点で本願補正発明と一致する。
　引用例１発明の「印刷装置で対応できる解像度」は、本願補正発明の「印刷処理能力を表すステータス情報」に相当するといえ、引用例１発明は、印刷装置側から印刷可能な解像度を通知するから、印刷装置は、通信制御部１１により印刷可能な解像度を画像取込装置に送信することは明らかであり、引用例１発明は、本願補正発明と「プリンタ装置は、ステータス情報を上位装置に送信するステータス送信手段」を含む点で一致するといえる。
　引用例１発明の「画像取込装置」の「データ変換部２６」は、特定された画像データを解像度変換プログラムにより通知された印刷装置が対応できる解像度に変換処理し、ワークバッファとして利用される画像取込メモリ上へ出力するものであり、印刷装置へ送信されて印刷装置で画像データが印刷できるようになるから、本願補正発明の「上位装置」の「画像データを印刷用画像データに変換する条件を、ステータス情報に基づいて、プリンタ装置の印刷能力に適合させるプリンタドライバ」と一致するといえる。
　
　そうすると、両者は、
「上位装置とプリンタ装置とが双方向通信線を介して接続され、ユーザから上位装置に与えられる印刷命令に対し、印刷すべき画像データを上位装置で印刷用画像データに変換してからプリンタ装置に送信して印刷させる印刷処理装置において、
　上位装置は、
　　画像データを印刷用画像データに変換する条件を、ステータス情報に基づいて、プリンタ装置の印刷処理能力に適合させるプリンタドライバとを含み、
　プリンタ装置は、
　　ステータス情報を上位装置に送信するステータス送信手段とを含む、
ことを特徴とする印刷処理装置。」
で一致するものであり、次の（１）、（２）の点で相違している。
　
（１）本願補正発明は、上位装置は、「プリンタ装置からのステータス情報を解読する解読手段」を含み、プリンタ装置は、「印刷処理能力を表すステータス情報を記憶しておくステータス記憶手段」を含むのに対し、引用例１発明は、画像取込装置が解読手段を含み、印刷装置が対応できる解像度を記憶する記憶手段を含むか明らかではない点。
　
（２）本願補正発明は、プリンタ装置は、「プリンタ装置に電源が投入されたときのみ、記憶されているステータス情報を上位装置に送信する」のに対し、引用例１発明は、通信ネゴシエーション処理が終了し、印刷装置側から画像データの指定処理を行うと、印刷装置側で対応できる解像度を画像取込装置側へ送信する点。
　
（ｄ）当審の判断
　上記相違点について検討する。
・相違点（１）について
　引用例２には、プリンタ１は、プリンタ特性記憶手段６に予じめ記憶してあるそのプリンタの特性データをプロセッサ２に送出すること、及び、プロセッサ２は、送られてきたプリンタの特性データを解読手段１１で解読し、解読結果は、プリンタ特性記憶レジスタ１２に記憶し、この記憶内容と内蔵しているプリンタ制御プログラムとを用いてその後、プロセッサ２の演算手段１４がプリンタ１を印刷制御することが記載されている。
　したがって、引用例１発明において、上記引用例２に記載された技術を適用すれば、上位装置は、「プリンタ装置からのステータス情報を解読する解読手段」を含み、プリンタ装置は、「印刷処理能力を表すステータス情報を記憶しておくステータス記憶手段」を含むようにすることは、当業者が容易になし得ることである。
　
・相違点（２）について
　引用例２には、プリンタ１の電源をオンにしたとき、プロセッサ２がプリンタ特性読出し指令信号をプリンタ１へ送出し、プリンタ１は、そのプリンタの特性データをプロセッサ２へ送出することが記載されている。
　また、プリンタの電源が投入されると、プリンタ側からプリンタの情報をホストコンピュータに転送することは、本願出願前周知の技術（特開平１１−１３８７７４号公報段落【００２４】の記載、特開平１１−１７５２７６号公報段落【００３５】の記載参照）でもある。
　したがって、引用例１発明において、プリンタ装置に電源が投入されたときのみ、ステータス情報を上位装置に送信するようにすることは、当業者が容易になし得ることである。
　
　そして、本願補正発明により奏される効果は当業者であれば引用例１発明、引用例２に記載された技術及び周知技術から予想できる範囲内のものである。
　
（ｅ）結論
　そうすると、本願補正発明は、引用例１発明、引用例２に記載された技術及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　上記のとおり、上記本件補正は却下されたので、本願請求項１に係る発明（以下、「本願発明」という。）は、平成１９年１月９日に提出された手続補正書における特許請求の範囲の請求項１に記載された事項により特定される、以下のとおりのものである。
　
「上位装置とプリンタ装置とが双方向通信線を介して接続され、ユーザから上位装置に与えられる印刷命令に対し、印刷すべき画像データを上位装置で印刷用画像データに変換してからプリンタ装置に送信して印刷させる印刷処理装置において、
　上位装置は、
　　プリンタ装置からのステータス情報を解読するステータス解読手段と、
　　画像データを印刷用画像データに変換する条件を、ステータス情報に基づいて、プリンタ装置の印刷処理能力に適合させるプリンタドライバとを含み、
　プリンタ装置は、
　　印刷処理能力を表すステータス情報を記憶しておくステータス記憶手段と、
　　プリンタ装置に電源が投入されたときに、記憶されているステータス情報を上位装置に送信するステータス送信手段とを含む、
ことを特徴とする印刷処理装置。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「プリンタ装置に電源が投入されたときにのみ、記憶されているステータス情報を上位装置に送信するステータス送信手段」から限定を省き「プリンタ装置に電源が投入されたときに、記憶されているステータス情報を上位装置に送信するステータス送信手段」としたものである。
　そうすると、本願発明の構成要件を全て含み、さらに限定したものに相当する本願補正発明が前記２．に記載したとおり、引用例１発明、引用例２に記載された技術及び周知技術に基づいて、当業者が容易に発明をすることができたものであるから、本願発明も同様の理由により、引用例１発明、引用例２に記載された技術及び周知技術に基づいて、当業者が容易に発明をすることができたものである。
　
６．むすび
　以上のとおり、本願発明は、引用例１発明、引用例２に記載された技術及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。